(57)【要約】【課題】熱源の移動を詳細に検知可能である赤外線センサー装置であって、構造がシンプルで、小型な赤外線センサー装置を提供する。【解決手段】焦電型赤外線センサー装置１ａは、焦電型赤外線センサー２０と、光学フィルタ１０とを備えている。焦電型赤外線センサー２０は、受光面２１ａを有する焦電体基板２１と、受光面２１ａの上に形成されている第１の電極２２ａ、２２ｂと、焦電体基板２１の上に形成されている第２の電極２３とを有する。光学フィルタ１０は、受光面２１ａの上に配置されている。光学フィルタ１０は、第１の電極２２ａ、２２ｂの一部に対して入射する赤外線の強度を低下させることにより、第１の電極２２ａ、２２ｂが設けられている領域に、入射する赤外線の強度が相対的に高い第１の領域Ｂ１〜Ｂ４と、入射する赤外線の強度が相対的に低い第２の領域Ｃ１，Ｃ２とを形成している。【選択図】図１
2013092370.tif 000002
【特許請求の範囲】
【請求項１】
受光面を有する焦電体基板と、前記焦電体基板の前記受光面の上に形成されている第１の電極と、前記焦電体基板の上に形成されている第２の電極とを有する焦電型赤外線センサーと、
前記焦電型赤外線センサーの前記受光面の上に配置されており、前記第１の電極の一部に対して入射する赤外線の強度を低下させることにより、前記第１の電極が設けられている領域に、入射する赤外線の強度が相対的に高い第１の領域と、入射する赤外線の強度が相対的に低い第２の領域とを形成している光学フィルタとを備える、焦電型赤外線センサー装置。
【請求項２】
前記焦電型赤外線センサー装置は、検知方向に移動する熱源の移動を検知するものであり、
前記光学フィルタは、前記第２の領域の前記検知方向の両側に、前記第１の領域が位置するように構成されている、請求項１に記載の焦電型赤外線センサー装置。
【請求項３】
前記第２の領域の前記検知方向の一方側に位置する第１の領域の前記検知方向における長さと、前記第２の領域の前記検知方向の他方側に位置する第１の領域の前記検知方向における長さとが等しい、請求項２に記載の焦電型赤外線センサー装置。
【請求項４】
前記検知方向には、第１の検知方向と、前記第１の検知方向に対して角度を成す第２の検知方向とが含まれる、請求項２または３に記載の焦電型赤外線センサー装置。
【請求項５】
前記光学フィルタは、前記第１の電極が設けられている領域に、前記第２の領域と、前記第２の領域により隔離された複数の第１の領域を形成し、
前記複数の第１の領域は、マトリクス状に形成されている、請求項１〜４のいずれか一項に記載の焦電型赤外線センサー装置。
【請求項６】
前記光学フィルタは、赤外線の透過率が相対的に高く、前記第１の領域を形成する高透過率部と、赤外線の透過率が相対的に低く、前記第２の領域を形成する低透過率部とを有する、請求項１〜５のいずれか一項に記載の焦電型赤外線センサー装置。
【請求項７】
前記焦電体基板は、前記受光面に対向している裏面を有し、
前記第２の電極は、前記裏面上に形成されている、請求項１〜６のいずれか一項に記載の焦電型赤外線センサー装置。
【発明の詳細な説明】
【技術分野】
【０００１】
本発明は、焦電型赤外線センサー装置に関する。特には、本発明は、受光面を有する焦電体基板と、焦電体基板の受光面の上に形成されている第１の電極と、焦電体基板の上に形成されている第２の電極とを有する焦電型赤外線センサーを備える焦電型赤外線センサー装置に関する。
【背景技術】
【０００２】
従来、例えば、非接触で温度を検出するセンサー装置として、赤外線を利用する赤外線センサー装置が知られている。この赤外線センサー装置の具体例としては、例えば、焦電体基板の焦電効果を利用した焦電型の赤外線センサー装置が挙げられる。
【０００３】
焦電型赤外線センサー装置は、微分出力特性有している。このため、焦電型赤外線センサー装置は、入射する赤外線量が変化したときのみ出力を発生させる。よって、焦電型赤外線センサー装置は、例えば、人や動物などの熱を発する物体が検知エリアを横切ったときに出力を発生させる。従って、焦電型赤外線センサー装置は、人検知センサーなどとして、広く利用されている。
【０００４】
しかしながら、従来の焦電型赤外線センサー装置では、人の二次元的な挙動を詳細にセンシングしたり、空間の温度分布を正確にセンシングしたりすることは困難であった。
【０００５】
このことに鑑み、例えば、下記の特許文献１や、特許文献２においては、複数の焦電型赤外線センサーをアレイ状に設け、そのセンサアレイの前にチョッパーを設けると共に、センサアレイ自身を回転させることが提案されている。
【先行技術文献】
【特許文献】
【０００６】
【特許文献１】特開平６−１９４１３６号公報
【特許文献２】特開平６−９４５２１号公報
【発明の概要】
【発明が解決しようとする課題】
【０００７】
しかしながら、上記特許文献１，２に記載のように、多数の焦電型赤外線センサーを用いると、素子構造が複雑になると共に、センサー装置が大型化する傾向にあった。また、チョッパーやセンサアレイの駆動装置を設ける必要があり、センサー装置の構造がさらに複雑になると共に、センサー装置がさらに大型化するという問題があった。
【０００８】
本発明は、かかる点に鑑みてなされたものであり、その目的は、熱源の移動を詳細に検知可能である赤外線センサー装置であって、構造がシンプルで、小型な赤外線センサー装置を提供することにある。
【課題を解決するための手段】
【０００９】
本発明に係る焦電型赤外線センサー装置は、焦電型赤外線センサーと、光学フィルタとを備えている。焦電型赤外線センサーは、焦電体基板と、第１の電極と、第２の電極とを有する。焦電体基板は、受光面を有する。第１の電極は、焦電体基板の受光面の上に形成されている。第２の電極は、焦電体基板の上に形成されている。光学フィルタは、焦電型赤外線センサーの受光面の上に配置されている。光学フィルタは、第１の電極の一部に対して入射する赤外線の強度を低下させることにより、第１の電極が設けられている領域に、入射する赤外線の強度が相対的に高い第１の領域と、入射する赤外線の強度が相対的に低い第２の領域とを形成している。
【００１０】
本発明に係る焦電型赤外線センサー装置のある特定の局面では、焦電型赤外線センサー装置は、検知方向に移動する熱源の移動を検知するものである。光学フィルタは、第２の領域の検知方向の両側に、第１の領域が位置するように構成されている。
【００１１】
本発明に係る焦電型赤外線センサー装置の他の特定の局面では、第２の領域の検知方向の一方側に位置する第１の領域の検知方向における長さと、第２の領域の検知方向の他方側に位置する第１の領域の検知方向における長さとが等しい。この構成では、第１の領域に赤外線が入射したときの出力レベルが同じとなり、熱源の有無を一つの基準で判断できる。
【００１２】
本発明に係る焦電型赤外線センサー装置の別の特定の局面では、検知方向には、第１の検知方向と、第１の検知方向に対して角度を成す第２の検知方向とが含まれる。この構成では、第１及び第２の検出方向を含む複数の検出方向に移動する熱源の移動を詳細に検知することができる。
【００１３】
本発明に係る焦電型赤外線センサー装置のさらに他の特定の局面では、光学フィルタは、第１の電極が設けられている領域に、第２の領域と、第２の領域により隔離された複数の第１の領域を形成し、複数の第１の領域は、マトリクス状に形成されている。この構成では、複数の検出方向に移動する熱源の移動を詳細に検知することができる。
【００１４】
本発明に係る焦電型赤外線センサー装置のさらに別の特定の局面では、光学フィルタは、赤外線の透過率が相対的に高く、第１の領域を形成する高透過率部と、赤外線の透過率が相対的に低く、第２の領域を形成する低透過率部とを有する。
【００１５】
本発明に係る焦電型赤外線センサー装置のまた他の特定の局面では、焦電体基板は、受光面に対向している裏面を有し、第２の電極は、裏面上に形成されている。
【発明の効果】
【００１６】
本発明では、第１の電極が設けられている領域に、入射する赤外線の強度が相対的に高い第１の領域と、入射する赤外線の強度が相対的に低い第２の領域とが形成されている。このため、熱源から入射する赤外線が、第１及び第２の領域の一方から他方に移動したときなどに、焦電体基板の焦電効果により、出力が発生する。このように、本発明では、焦電型赤外線センサーがひとつのみ設けられている場合であっても、焦電型赤外線センサーの検知エリア内における熱源の移動によって出力信号が出力される。従って、より少ないセンサー数で、熱源の移動を詳細に検知することができる。すなわち、本発明によれば、熱源の移動を詳細に検知可能である赤外線センサー装置であって、構造がシンプルで、小型な赤外線センサー装置を提供することができる。
【図面の簡単な説明】
【００１７】
【図１】図１（ａ）は、第１の実施形態に係る焦電型赤外線センサー装置の模式的側面図である。図１（ｂ）は、第１の実施形態に係る焦電型赤外線センサー装置からの出力信号を表すタイムチャートである。
【図２】第１の実施形態に係る焦電型赤外線センサー装置の模式的平面図である。
【図３】光学フィルタの模式的斜視図である。
【図４】第２の実施形態に係る焦電型赤外線センサー装置の模式的平面図である。
【図５】図５（ａ）は、第２の実施形態に係る焦電型赤外線センサー装置の模式的側面図である。図５（ｂ）は、第２の実施形態に係る焦電型赤外線センサー装置からの出力信号を表すタイムチャートである。
【図６】第３の実施形態に係る焦電型赤外線センサー装置の模式的平面図である。
【図７】第４の実施形態に係る焦電型赤外線センサー装置の模式的平面図である。
【図８】第５の実施形態に係る焦電型赤外線センサー装置の模式的平面図である。
【図９】第６の実施形態に係る焦電型赤外線センサー装置の模式的平面図である。
【発明を実施するための形態】
【００１８】
以下、本発明を実施した好ましい形態について、図１，２，４〜９に示す焦電型赤外線センサー装置１ａ〜１ｆを例に挙げて説明する。但し、焦電型赤外線センサー装置１ａ〜１ｆは単なる例示である。本発明に係る焦電型赤外線センサー装置は、焦電型赤外線センサー装置１ａ〜１ｆに何ら限定されない。
【００１９】
《第１の実施形態》
図１（ａ）は、第１の実施形態に係る焦電型赤外線センサー装置の模式的側面図である。図１（ｂ）は、第１の実施形態に係る焦電型赤外線センサー装置からの出力信号を表すタイムチャートである。図２は、第１の実施形態に係る焦電型赤外線センサー装置の模式的平面図である。図３は、光学フィルタの模式的斜視図である。なお、図２においては、説明の便宜上、受光面電極２２ａ、２２ｂが設けられている領域及び線条溝１１ａ、１１ｂが設けられている領域にハッチングを附している。
【００２０】
（焦電型赤外線センサー装置１ａの構成）
図１及び図２に示す焦電型赤外線センサー装置１ａは、ｘ方向に移動する熱源３０の移動を検知するセンサー装置である。
【００２１】
図１及び図２に示すように、焦電型赤外線センサー装置１ａは、焦電型赤外線センサー２０と、光学フィルタ１０とを備えている。
【００２２】
焦電型赤外線センサー２０は、焦電体基板２１を備えている。焦電体基板２１は、赤外線を受光する受光面２１ａと、受光面２１ａに対向している裏面２１ｂとを有する。焦電体基板２１は、赤外線を受光した際に電圧を発生させる焦電体からなるものである。焦電体の具体例としては、ＬｉＴａＯ３などが挙げられる。
【００２３】
焦電体基板２１の受光面２１ａの上には、第１の電極としての受光面電極２２ａ、２２ｂが形成されている。図２に示すように、受光面電極２２ａ、２２ｂのそれぞれは、ｘ方向に対して垂直なｙ方向に延びる矩形状に形成されている。受光面電極２２ａ、２２ｂは、ｘ方向に相互に間隔をおいて配列されている。
【００２４】
一方、焦電体基板２１の裏面２１ｂの上には、第２の電極としての裏面電極２３が形成されている。
【００２５】
なお、受光面電極２２ａ、２２ｂ及び裏面電極２３のそれぞれは、金属や合金などの、適宜の導電材料により形成することができる。具体的には、受光面電極２２ａ、２２ｂ及び裏面電極２３のそれぞれは、例えば、Ｎｉ合金やＣｕ合金などにより形成することができる。
【００２６】
図１に示すように、光学フィルタ１０は、焦電型赤外線センサー２０の受光面２１ａの上に配置されている。本実施形態において、光学フィルタ１０は、赤外線を透過させるシリコンなどの材料からなる。
【００２７】
光学フィルタ１０は、受光面電極２２ａ、２２ｂの一部に対して入射する赤外線の強度を低下させることにより、受光面電極２２ａ、２２ｂが設けられている領域のそれぞれに、入射する赤外線の強度が相対的に高い第１の領域Ｂ１〜Ｂ４と、入射する赤外線の強度が相対的に低い第２の領域Ｃ１，Ｃ２とを形成している。
【００２８】
具体的には、図３に示すように、シリコンなどの赤外線を透過させる材料からなる光学フィルタ１０には、ｙ方向に延びる複数の線条溝１１ａ、１１ｂが形成されている。これら線条溝１１ａ、１１ｂの底面１１ａ１，１１ｂ１は、粗面に形成されている。このため、光学フィルタ１０のうち、線条溝１１ａ、１１ｂが形成されている部分における赤外線の透過率は、線条溝１１ａ、１１ｂが形成されていない部分における赤外線の透過率よりも低い。従って、光学フィルタ１０のうち、線条溝１１ａ、１１ｂが形成されている領域は、赤外線の透過率が相対的に低い低透過率部を構成している。一方、光学フィルタ１０のうち、線条溝１１ａ、１１ｂが形成されていない領域は、赤外線の透過率が相対的に低い高透過率部を構成している。
【００２９】
よって、図１（ａ）に示すように、受光面電極２２ａ、２２ｂが設けられている領域のそれぞれに、光学フィルタ１０の線条溝１１ａ、１１ｂが形成されていない部分を透過した、強度が相対的に高い赤外線が入射する第１の領域Ｂ１〜Ｂ４と、光学フィルタ１０の線条溝１１ａ、１１ｂが形成されている部分を透過した、強度が相対的に低い赤外線が入射する第２の領域Ｃ１，Ｃ２とが形成される。
【００３０】
詳細には、本実施形態においては、光学フィルタ１０は、第２の領域Ｃ１，Ｃ２のｘ方向の両側に、第１の領域Ｂ１，Ｂ３及びＢ２，Ｂ４が位置するように構成されている。すなわち、線条溝１１ａ、１１ｂは、第２の領域Ｃ１，Ｃ２のｘ方向の両側に、第１の領域Ｂ１，Ｂ３及びＢ２，Ｂ４が位置するような位置に形成されている。
【００３１】
なお、光学フィルタ１０の線条溝１１ａ、１１ｂが形成されている部分は、赤外線の一部を吸収するものであってもよいし、赤外線を実質的に遮蔽するものであってもよい。
【００３２】
線条溝１１ａ、１１ｂの寸法は、センサー装置に要求される特性などに応じて適宜設定することができる。線条溝１１ａ、１１ｂは、例えば、幅：０．０３ｍｍ〜２．０ｍｍ程度、深さ：０．０１ｍｍ〜０．２ｍｍ程度とすることができる。線条溝１１ａ、１１ｂの形成は、例えば、ダイシングなどにより行うことができる。
【００３３】
（焦電型赤外線センサー装置１ａの動作原理）
次に、図１を主として参照しながら、焦電型赤外線センサー装置１ａの動作原理について説明する。なお、ここでは、図１に示す熱源３０が、検知方向であるｘ方向のｘ２側からｘ１側に移動したときを例に挙げて説明する。
【００３４】
熱源３０がエリアＡ０よりもｘ２側から第１の検知エリアＡ１に移動すると、受光面電極２２ａ上に赤外線が入射する。このため、焦電体基板２１の受光面電極２２ａの下に位置する部分が加熱され、電荷が発生する。これにより、図１（ｂ）に示すように、受光面電極２２ａと裏面電極２３との間に電位差が発生し、その結果、信号Ｐ１が出力される。
【００３５】
熱源３０が検知エリアＡ１内に位置しているときは、熱源３０から入射する赤外線量は変化しない。熱源３０が検知エリアＡ１から非検知エリアＡ２に移動すると、熱源３０からの赤外線の少なくとも一部が線条溝１１ａによって遮蔽される。このため、受光面電極２２ａと裏面電極２３との間に、信号Ｐ１とは逆極性の信号Ｐ２が出力される。
【００３６】
熱源３０が非検知エリアＡ２から検知エリアＡ３に移動すると、熱源３０から焦電体基板２１の受光面電極２２ａの下に位置する部分に入射する赤外線量が増大する。このため、信号Ｐ１と同極性の信号Ｐ３が出力される。
【００３７】
熱源３０が検知エリアＡ３から、非検知エリアＡ４に移動すると、熱源３０からの赤外線が受光面電極２２ａに入射しなくなる。このため、信号Ｐ４が出力される。
【００３８】
熱源３０が非検知エリアＡ４から検知エリアＡ５へ移動したとき、及び非検知エリアＡ６から検知エリアＡ７へ移動したときには、焦電体基板２１の受光面電極２２ｂの下に位置する部分に入射する赤外線量が増大するため信号Ｐ５，Ｐ７が出力される。
【００３９】
一方、熱源３０が検知エリアＡ５から非検知エリアＡ６に移動したとき、及び熱源３０が検知エリアＡ７から検知エリアＡ７外に移動したときには、焦電体基板２１の受光面電極２２ｂの下に位置する部分に入射する赤外線量が減少するため、信号Ｐ６，Ｐ８が出力される。
【００４０】
以上説明したように、本実施形態では、光学フィルタ１０により、受光面電極２２ａ、２２ｂが設けられている領域のそれぞれに、入射する赤外線の強度が相対的に高い第１の領域Ｂ１〜Ｂ４と、入射する赤外線の強度が相対的に低い第２の領域Ｃ１，Ｃ２とが形成されている。このため、上述のように、受光面電極２２ａ、２２ｂのそれぞれにおいて、熱源３０がｘ方向のｘ２側からｘ１側に移動したときに、複数の信号が出力される。具体的には、受光面電極２２ａからは、熱源３０が検知エリアＡ１に移動したことを示す信号Ｐ１、熱源３０がエリアＡ１からエリアＡ２に移動したことを示す信号Ｐ２、熱源３０がエリアＡ２からエリアＡ３に移動したことを示す信号Ｐ３、及び熱源３０がエリアＡ３からエリアＡ４に移動したことを示す信号Ｐ４が出力される。また、受光面電極２２ｂからは、熱源３０がエリアＡ４からエリアＡ５に移動したことを示す信号Ｐ５、熱源３０がエリアＡ５からエリアＡ６に移動したことを示す信号Ｐ６、熱源３０がエリアＡ６からエリアＡ７に移動したことを示す信号Ｐ７，及び熱源３０がエリアＡ７からｘ１側に移動したことを示す信号Ｐ８が出力される。従って、本実施形態では、少ないセンサー数及び受光面電極数で、熱源３０の移動を詳細に検知することができる。すなわち、本実施形態の焦電型赤外線センサー装置１ａは、シンプルな構造で、小型でありつつ、熱源３０の移動を詳細に検知することができる。
【００４１】
以下、本発明を実施した好ましい形態の他の例について説明する。なお、以下の説明において、上記第１の実施形態と実質的に共通の機能を有する部材を共通の機能で参照し、説明を省略する。
【００４２】
《第２の実施形態》
図４は、第２の実施形態に係る焦電型赤外線センサー装置１ｂの模式的平面図である。図５（ａ）は、第２の実施形態に係る焦電型赤外線センサー装置１ｂの模式的側面図である。図５（ｂ）は、第２の実施形態に係る焦電型赤外線センサー装置１ｂからの出力信号を表すタイムチャートである。なお、図４においては、説明の便宜上、受光面電極２２ａ、２２ｂが設けられている領域及び低透過率部１１が設けられている領域にハッチングを附している。
【００４３】
上記第１の実施形態では、２つの受光面電極２２ａ、２２ｂが検知方向であるｘ方向に沿って配列されている場合について説明した。但し、本発明は、この構成に限定されない。本実施形態では、図４に示すように、受光面電極２２ａ、２２ｂがｘ方向に沿って延びる矩形状に形成されており、ｙ方向に沿って配列されている。そして、光学フィルタ１０の低透過率部１１が受光面電極２２ａ、２２ｂのｘ方向における中央部に設けられている。なお、本実施形態では、図５（ａ）に示すように、光学フィルタ１０は、入射する赤外線の強度が相対的に高い第１の領域Ｂ５，Ｂ６が第２の領域Ｃ３の、ｘ方向の両側に位置するように設けられている。そして、第１の領域Ｂ５のｘ方向における長さと、第１の領域Ｂ６のｘ方向における長さとは、等しくされている。
【００４４】
また、上記第１の実施形態では、線条溝１１ａ、１１ｂが形成されることにより光学フィルタ１０に低透過率部が形成されている例について説明したが、本発明において、低透過率部の形成方法は、この方法に限定されない。例えば、図５（ａ）に示すように、赤外線を透過する透過部材１０ａの上に、赤外線を遮蔽する遮蔽部材１０ｂを設けることにより低透過率部１１を形成してもよい。なお、赤外線を透過する透過部材１０ａは、例えば、シリコンにより形成することができる。赤外線を遮蔽する遮蔽部材１０ｂは、例えば、金属膜や、塗膜、赤外線を吸収するガラスなどにより形成することができる。
【００４５】
本実施形態においても、上記第１の実施形態と同様に、熱源３０がエリアＡ１０，Ａ１１，Ａ１２間を移動する際に一つの受光面電極２２ａ、２２ｂから、複数の信号Ｐ１０〜Ｐ１３が出力される。従って、本実施形態の焦電型赤外線センサー装置１ｂは、上記第１の実施形態の焦電型赤外線センサー装置１ａと同様に、シンプルな構造で、小型でありつつ、熱源３０の移動を詳細に検知することができる。
【００４６】
《第３の実施形態》
図６は、第３の実施形態に係る焦電型赤外線センサー装置１ｃの模式的平面図である。なお、図６においては、説明の便宜上、受光面電極２２ｃ〜２２ｆが設けられている領域及び低透過率部１１が設けられている領域にハッチングを附している。
【００４７】
上記第１及び第２の実施形態では、２つの受光面電極２２ａ、２２ｂが設けられている場合について説明した。但し、本発明は、この構成に限定されない。受光面電極は、ひとつのみ設けられていてもよいし、３つ以上設けられていてもよい。
【００４８】
本実施形態では、図６に示すように、４つの受光面電極２２ｃ〜２２ｆがマトリクス状に形成されている。この場合、受光面電極２２ｃ、２２ｅからの信号と、受光面電極２２ｄ、２２ｆからの信号とを分離して検出することにより、ｘ方向のみならずｙ方向における熱源の移動も検出することができる。
【００４９】
《第４の実施形態》
図７は、第４の実施形態に係る焦電型赤外線センサー装置１ｄの模式的平面図である。なお、図７においては、説明の便宜上、受光面電極２２ｃ〜２２ｆが設けられている領域及び低透過率部１１が設けられている領域にハッチングを附している。
【００５０】
上記第３の実施形態では、受光面電極２２ｃ、２２ｄ、２２ｅ、２２ｆをｘ方向に分割する低透過率部１１が形成されている例について説明した。但し、本発明は、この構成に限定されない。
【００５１】
例えば、図７に示すように、受光面電極２２ｃ、２２ｄ、２２ｅ、２２ｆが設けられている領域のそれぞれを、入射する赤外線の強度が相対的に高い複数の第１の領域がマトリクス状に形成されるように、低透過率部１１が格子状に形成されている。この構成によれば、ｘ方向のみならず、ｙ方向における熱源３０の移動の詳細な検出も可能となる。
【００５２】
《第５，６の実施形態》
図８は、第５の実施形態に係る焦電型赤外線センサー装置ｅの模式的平面図である。図９は、第６の実施形態に係る焦電型赤外線センサー装置ｆの模式的平面図である。なお、図８及び図９においては、説明の便宜上、受光面電極２２ｃ〜２２ｆが設けられている領域及び低透過率部１１が設けられている領域にハッチングを附している。
【００５３】
上記第１〜第４の実施形態では、低透過率部１１が線状または格子状に形成されている例について説明した。但し、本発明は、この構成に限定されない。低透過率部１１は、例えば、図８に示すように、同心円状に形成されていてもよい。また、低透過率部１１は、例えば、図９に示すように、マトリクス状に形成されていてもよい。これらの場合であっても、上記第４の実施形態に係る焦電型赤外線センサー装置１ｄと同様に、ｘ方向のみならず、ｙ方向における熱源３０の移動も詳細に検出することができる。
【符号の説明】
【００５４】
１ａ〜１ｆ…焦電型赤外線センサー装置
１０…光学フィルタ
１０ａ…透過部材
１０ｂ…遮蔽部材
１１…低透過率部
１１ａ、１１ｂ…線条溝
１１ａ１、１１ｂ１…線条溝の底面
２０…焦点型赤外線センサー
２１…焦電体基板
２１ａ…焦電体基板の受光面
２１ｂ…焦電体基板の裏面
２２ａ〜２２ｆ…受光面電極
２３…裏面電極
３０…熱源
Ｂ１〜Ｂ６…第１の領域
Ｃ１〜Ｃ３…第２の領域
【図１】
2013092370.tif 000003
【図２】
2013092370.tif 000004
【図３】
2013092370.tif 000005
【図４】
2013092370.tif 000006
【図５】
2013092370.tif 000007
【図６】
2013092370.tif 000008
【図７】
2013092370.tif 000009
【図８】
2013092370.tif 000010
【図９】
2013092370.tif 000011